【事件の表示】
　特願２０１９−２０７５７１「知識管理システム」拒絶査定不服審判事件〔令和　２年１２月　３日出願公開、特開２０２０−１９４５２０、請求項の数（１）〕について、次のとおり審決する。
【結　論】
　原査定を取り消す。
　本願の発明は、特許すべきものとする。
【理　由】
第１　手続きの経緯
　本願は，令和１年１１月１８日（優先権主張　特願２０１９−９８１６３号　令和１年５月２６日）の出願であって，令和２年３月６日付けで拒絶理由が通知され，令和２年７月８日に意見書が提出されるとともに手続補正がなされ，令和２年１０月６日付けで拒絶査定（以下，「原査定」という。）がなされたが，これに対し，令和２年１２月３０日に拒絶査定不服審判の請求がなされるとともに手続補正がなされ，令和３年４月２日付けで拒絶理由（以下，「当審拒絶理由」という。）が通知され，令和３年５月１１日に意見書が提出されるとともに手続補正がなされたものである。
第２　原査定の概要
　令和２年１０月６日付けの原査定の概要は以下のとおりである。
　本願請求項１−１４に係る発明は，以下の引用文献Ａ，Ｂに基づいて，その発明の属する技術の分野における通常の知識を有する者（以下，「当業者」という。）が容易に発明できたものであるから，特許法第２９条第２項の規定により特許を受けることができない。
引用文献等一覧
Ａ．特開２０１９−１０１５１７号公報
Ｂ．特開２００５−８４７５４号公報
第３　当審拒絶理由の概要
　当審拒絶理由の概要は以下のとおりである。
１．（進歩性）本件出願の下記の請求項に係る発明は，その出願前日本国内または外国において頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。
　本願請求項１に係る発明は，以下の引用文献１，２に基づいて，当業者が容易に発明できたものであるから，特許法第２９条第２項の規定により特許を受けることができない。
引用文献等一覧
１．特開２０１９−１０１５１７号公報（拒絶査定時の引用文献Ａ）
２．特開２００５−８４７５４号公報（拒絶査定時の引用文献Ｂ）
２．（明確性）この出願は，特許請求の範囲の記載が下記の点で，特許法第３６条第６項第２号に規定する要件を満たしていない。
（１）「知識エントリー」を「管理」しているのは，「知識エントリー属性記述管理手段」ではなく，「知識エントリー管理手段」であるので，「前記知識エントリー属性記述管理手段で管理されている知識エントリー」は，誤記であると認められる。
（２）請求項１の「文書」は，「属性記述」への「参照リンク」を保持しているのか否かが不明確である。
第４　本願発明
　本願請求項１に係る発明（以下，「本願発明１」という。）は，令和３年５月１１日付けの手続補正で補正された特許請求の範囲の請求項１に記載された事項により特定される発明であり，本願発明１は以下のとおりの発明である。
「【請求項１】
　知識の記録，管理において，少なくとも一つ存在する知識エントリーを管理する知識エントリー管理手段を備え，
　知識エントリーに関する属性記述を記録，管理する知識エントリー属性記述管理手段を備え，
　前記属性記述は用いる語彙として，当該語彙を定義ないし説明している他の知識エントリーないし他の知識エントリーの属性記述を用い，併せて当該他の知識エントリーないし他の知識エントリーの属性記述への参照リンクを利用可能とし，
　前記知識エントリー管理手段で管理されている知識エントリー又は前記知識エントリー属性記述管理手段で管理されている属性記述を語彙として，さらに当該知識エントリー又は属性記述への参照リンクを保持した文書を作成する，参照語彙を用いた文書作成手段を備えたことを特徴とする知識管理システム。」
第５　引用文献，引用発明等
１．優先権主張について
　本願は，令和１年５月２６日に出願された特願２０１９−０９８１６３（以下，「先の出願」という。）を先の出願とした，特許法第４１条に基づく優先権主張を伴う出願である。
　しかしながら，先の出願の当初明細書等には，段落【００３０】，【００４９】，【００５３】に，文書にリンクを張ることは記載されているが，請求項１に係る発明の「前記知識エントリー管理手段で管理されている知識エントリー又は前記知識エントリー属性記述管理手段で管理されている属性記述を語彙として，さらに当該知識エントリー又は属性記述への参照リンクを保持した文書を作成する，参照語彙を用いた文書作成手段」は記載されていない。
　したがって，当該優先権主張は認められず，本願発明１に対して特許法第２９条を適用する際の判断の基準となる日は，現実の出願日である令和１年１１月１８日となる。
２．引用文献１
（１）原査定の拒絶の理由で引用され，現実の出願日前に公開された引用文献１には，以下の事項が記載されている。（当審注：下線は，参考のために当審で付与したものである。以下同様。）
「【請求項１】
　
知識の記録，管理において，
　少なくとも一つの知識ツリーを管理する知識ツリー群管理手段と，前記知識ツリー毎に
少なくとも一つ存在する知識エントリーを管理する知識エントリー管理手段を備え，
　前記各知識エントリーは，
当該知識エントリーに関する属性を記述する
　前記
知識エントリー属性記述は，異なる又は同一の知識ツリーに属する知識エントリー，または当該知識エントリーのエントリー属性記述に対する参照リンクを含んでいることを特徴とする知識管理システム。
「【００５２】
　図１０は，知識閲覧手段の一例である。 まず左から第１列の名前空間のリストから此処では「医療」を選択している。 この結果，第２列には「医療」名前空間に属する知識ツリー群の名前がリストアップされる。ここで「疾患名」知識ツリーを選択すると，先ず代謝系，循環器系などの大分類のリストが示される。「代謝系」を選択すると，その下の中分類群である「糖代謝系」，「脂質代謝系」などのリストが示される。 「糖代謝系」を選択すると，その下の小分類である「糖尿病」，「糖原病」などがリストアップされる。 
「糖尿病」を選択すると，知識エントリー属性カテゴリーである＜病態＞，＜合併症＞などが示され
 ＜病態＞を選択すると，＜病態＞を構成する属性記述である“高血糖”や， “HbA1c高値”などの参照リンクが示され
“高血糖”を選択すると，参照リンク先である「症状/所見」知識ツリー内の「高血糖」知識エントリーの属性カテゴリーである＜定義＞，＜検査法＞などが示される
（２）上記引用文献１の記載（特に下線部の記載）より，上記引用文献１には，次の発明（以下，「引用発明」という。）が記載されていると認められる。
「知識の記録，管理において，少なくとも一つ存在する知識エントリーを管理する知識エントリー管理手段を備え，
　当該知識エントリーに関する属性を記述する知識エントリー属性記述は，異なる又は同一の知識ツリーに属する知識エントリー，または当該知識エントリーのエントリー属性記述に対する参照リンクを含んでいることを特徴とし，
　「糖尿病」を選択すると，知識エントリー属性カテゴリーである＜病態＞，＜合併症＞などが示され，＜病態＞を選択すると，＜病態＞を構成する属性記述である“高血糖”や，“HbA1c高値”などの参照リンクが示され，“高血糖”を選択すると，参照リンク先である「症状/所見」知識ツリー内の「高血糖」知識エントリーの属性カテゴリーである＜定義＞，＜検査法＞などが示される，
　知識管理システム。」
３．引用文献２
（１）原査定の拒絶の理由で引用され，現実の出願日前に公開された引用文献２には，以下の事項が記載されている。
「【００２７】
　
電子辞書装置２４
語句
辞書に含まれる
「【００５９】
　図１２（Ａ）は，図２のステップ１０３及び図４の
辞書リンク付文書生成手段１２
生成
文書
語句
辞書引きリンクタグが付与され
（２）上記引用文献２の記載（特に下線部の記載）より，上記引用文献２には，次の技術的事項が記載されていると認められる。
「電子辞書装置の辞書に含まれる語句に辞書引きリンクタグが付与された文書を生成する辞書リンク付文書生成手段。」
第６　対比・判断
１．本願発明１について
（１）対比
　本願発明１と引用発明を対比すると，次のことがいえる。
ア．引用発明の「知識エントリー」は，本願発明１の「知識エントリー」に相当する。
イ．引用発明の「知識の記録，管理において，少なくとも一つ存在する知識エントリーを管理する知識エントリー管理手段」は，本願発明１の「知識の記録，管理において，少なくとも一つ存在する知識エントリーを管理する知識エントリー管理手段」に相当する。
ウ．引用発明は，「知識エントリー属性記述」，及び，同様のものを示しているといえる「エントリー属性記述」及び「属性記述」を使用しているので，「知識エントリー属性記述」，「エントリー属性記述」及び「属性記述」を記録，管理する手段を備えていることは明らかである。
エ．引用発明の「当該知識エントリーに関する属性を記述する知識エントリー属性記述は，異なる又は同一の知識ツリーに属する知識エントリー，または当該知識エントリーのエントリー属性記述に対する参照リンクを含んでいる」ところ，一般に，「知識管理システム」（オントロジー）において，知識エントリー及び属性記述は，お互いを定義ないし説明しているものであり，また，語彙として用いられるものであるので，引用発明の「知識エントリー属性記述」，「異なる又は同一の知識ツリーに属する知識エントリー」，「当該知識エントリーのエントリー属性記述」及び「参照リンク」は，それぞれ本願発明１の「属性記述」，「他の知識エントリー」，「他の知識エントリーの属性記述」及び「参照リンク」に相当する。
　また，引用発明は，「知識エントリー」である「＜病態＞を選択すると，＜病態＞を構成する属性記述である“高血糖”や，“HbA1c高値”などの参照リンクが示され，“高血糖”を選択すると，参照リンク先である「症状/所見」知識ツリー内の「高血糖」知識エントリーの属性カテゴリーである＜定義＞，＜検査法 ＞などが示される」ところ，引用発明の「参照リンク」は，それによって「参照リンク先」を「示」すことができるので，利用可能である。
　したがって，上記ア．〜エ．の検討内容を踏まえると，本願発明１と引用発明との間には，次の一致点，相違点があるといえる。
（一致点）
「知識の記録，管理において，少なくとも一つ存在する知識エントリーを管理する知識エントリー管理手段を備え，
　知識エントリーに関する属性記述を記録，管理する知識エントリー属性記述管理手段を備え，
　前記属性記述は用いる語彙として，当該語彙を定義ないし説明している他の知識エントリーないし他の知識エントリーの属性記述を用い，併せて当該他の知識エントリーないし他の知識エントリーの属性記述への参照リンクを利用可能としたことを特徴とする知識管理システム。」
（相違点）
　本願発明１は，「前記知識エントリー管理手段で管理されている知識エントリー又は前記知識エントリー属性記述管理手段で管理されている属性記述を語彙として，さらに当該知識エントリー又は属性記述への参照リンクを保持した文書を作成する，参照語彙を用いた文書作成手段」を備えるのに対して，引用発明は，そのようなものを備えていない点。
（２）相違点についての判断
　令和３年５月１１日に提出された意見書にあるように，引用文献２に記載された技術的事項は，文書作成後の後処理として難読が予想される語句に辞書へのリンクを張るだけであり，また，辞書に関しても，語句ごとの単純な記述があるだけで，語句ごとの系統的な参照関係はなく，あくまでの文書作成後の事後処理，索引の自動作成に準じるだけで，文書作成中は，作成者への知識の提供は行われない。
　一方，本願発明１は，明細書【００３９】第１１〜１２行に，「知識エントリーへの参照リンクを保持した文書を作成することで，知識記述に裏付けられた文書作成を可能とすることである。」とあるように，知識エントリーと属性記述を用いて，新規に文書を作成する技術であり，参照リンク付き文書の作成は，機器操作（マウス）による，ディスプレイ上でのドラッグ＆ドロップ操作によって実現が可能である。
　このように，本願発明１の「文書を作成する」ことは，引用文献２に記載された技術的事項の「文書を生成する」こととは異なるものであり，本願発明１は，「表記の揺らぎのない系統的な知識の記述を可能にする」という，引用発明及び引用文献２に記載された技術的事項にない効果を奏しており，本願発明１は，引用発明及び引用文献２に記載された技術的事項に基づいて，当業者といえども容易に想到できたものではない。
　また，上記相違点にかかる上記技術的事項は，現実の出願日前に周知な構成とはいえない。
第７　原査定についての判断
　令和３年５月１１日の手続補正により補正された請求項１は，上記相違点にかかる構成を有するものとなっており，上記のとおり，本願発明１は，上記引用発明及び上記引用文献２に記載された技術的事項に基づいて，当業者が容易に発明できたものではない。
　したがって，原査定を維持することはできない。
第８　当審拒絶理由についての判断
１．特許法第２９条第２項（進歩性）について
　上記第６の１．（２）で検討のとおり，本願発明１は，上記相違点にかかる構成を有しており，そして，上記相違点にかかる上記技術的事項については，上記引用文献２には記載されておらず，また，現実の出願日前に周知な構成であるともいえないから，この拒絶の理由は解消した。
２．特許法第３６条第６項第２号（明確性）について
　令和３年５月１１日の手続補正により，この拒絶の理由は解消した。
第９　むすび
　以上のとおり，原査定の理由によって，本願を拒絶することはできない。
　他に本願を拒絶すべき理由を発見しない。
　よって，結論のとおり審決する。